(57)【要約】【課題】フロート長を大きくすることなく、施肥と苗の植付を簡単に行なうことができる移植機のフロート構造を提供する。【解決手段】植付位置の間を整地する前後に長い幅狭の整地部と、その前側部に連設して植付部の前方を整地する植付整地部１３を設けるとともに、植付と同時に施肥を行う施肥装置の植付部８の前側に、作溝施肥具１２の施肥案内具２６を設けたフロート６を備えた移植機において、施肥案内具２６を均し接地部１４の後辺から前側に向けて凹溝状に切欠形成した取付溝１７に入り込ませて後辺よりも前方に設けた移植機のフロート構造。【選択図】      図６
2004187513.tif 000002
【特許請求の範囲】
【請求項１】
植付位置の間を整地する前後に長い幅狭の整地部と、その前側部に連設して植付部前方を整地する植付整地部を設けるとともに、植付と同時に施肥を行う施肥装置の植付部８の前側に作溝施肥具１２の施肥案内具２６を設けたフロート６を備えた移植機において、前記施肥案内具２６を、均し接地部１４の後辺から前側に向けて凹溝状に切欠形成した取付溝１７に入り込ませて後辺よりも前方に設けた移植機のフロート構造。
【請求項２】
前記均植付整地部１３に取付溝１７を切欠形成可能とする薄肉な取付部１１を設けて構成した請求項１の移植機のフロート構造。
【発明の詳細な説明】
【０００１】
【発明の属する技術分野】
本発明は、フロートの側方で植付爪によって苗を植付けるとともに施肥を行う移植機のフロート構造に関する。
【０００２】
【従来の技術】
従来、フロートの接地本体の側方で植付部によって苗を植付けるとともに、作溝具で地表に筋条の溝を凹入形成（以下施肥溝と言う）し、この溝内に肥料を供給施肥する施肥案内具を設けて施肥を行い、施肥溝の側方に苗を植え付ける移植機は既に知られている（例えば、特許文献１参照。）。
【０００３】
【特許文献１】
特開平７−３２７４２７号公報（第３頁、第２図）
【０００４】
【発明が解決しようとする課題】
上記公報で示されるような構成の移植機は、施肥位置と苗の植付位置とが接近しており、作業具または施肥具によって側方へ押しのけられた泥土に苗を植付けたり、押しのけられた泥土によって苗の植付姿勢が乱れたりする欠点がある。
【０００５】
また、苗を安定して植え付けるためには、作溝具及び施肥案内具の後方に離間して植付部を設け、作溝具による泥土の押しのけが収まった後に苗を植付ける必要がある。しかし、この形式の装置では、それに応じてフロートの長さが大きくなって植付装置が大型化する欠点があるとともに、走行機体と植付装置との間の代掻作業機等の整地装置を設置する場合は、そのための間隔を充分に確保することができない等の問題がある。
【０００６】
【課題を解決するための手段】
上記目的を達成するための本発明の移植機のフロート構造は、植付位置の間を整地する前後に長い幅狭の整地部と、その前側部に連設して植付部の前方を整地する植付整地部を設けるとともに、植付と同時に施肥を行う施肥装置の植付部８の前側に作溝施肥具１２の施肥案内具２６を設けたフロート６を備えた移植機において、施肥案内具２６を均し接地部１４の後辺から前側に向けて凹溝状に切欠形成した取付溝１７に入り込ませて後辺よりも前方に設けたことを特徴としている。
【０００７】
また、植付整地部１３に取付溝１７を切欠形成可能とする薄肉な取付部１１を設けて構成したことを特徴としている。
【０００８】
【発明の実施の形態】
以下図面を参照しながら本発明の実施形態について説明する。
【０００９】
１は、苗の植付けと同時に施肥を行なう移植機である。この移植機１は、前輪１ａと後輪１ｂを備えた走行機体２の前部にエンジン２ａを搭載し、後方に操縦部２ｂを配置し、機体２の後部に昇降機構２ｃを介して本発明に係るフロート構造を備えた植付装置３を装着している。
【００１０】
この植付装置３は、昇降機構２ｃと連結する横フレーム４に所定の植付間隔を有して植付伝動ケース５を後方に向けて延設し、各植付伝動ケース５の下部にそれぞれ１ケのフロート６を、公知のフロート支持機構７によって揺動回動及び植付深さ調節可能に支持している。
【００１１】
また図１、図２で示す移植機１は、図３〜図５で示されるフロート配置及び植付部８の設置によって５条分の苗を植付ける構成にしている。
【００１２】
フロート６は平面視で略Ｔ字状の２ケのサイドフロート６ａと、その中央に配置された略逆Ｕ字状の１ケのセンターフロート６ｂとからなり、サイドフロート６ａの幅狭整地部９の後部両側には植付伝動ケース５の両側に設けた植付部８を配置しており、植付爪１０によって苗を植付位置ｐに植付ける。
【００１３】
また、センターフロート６ｂの２本の幅狭整地部９の間の植付位置ｐには、中央の植付伝動ケース５の一側に設けた植付部８の植付爪１０によって苗を植付けるようになっている。
【００１４】
この移植機１は，以上の構成によって５条分の苗を植付けることができ、また各フロート６に形成した取付部１１に，以下の取付手段によって作溝施肥具１２を設けることにより、図示しない施肥装置の肥料タンクから繰り出される粒状の肥料を圃場に施肥することができるようになっている。
【００１５】
このフロート６について、図６及び図７で示すサイドフロート６ａを参照して説明する。
【００１６】
サイドフロート６ａは、前後方向に長く両側の植付位置ｐの間で接地する幅狭整地部９と、この幅狭整地部９の両側で植付位置ｐの前側に側方に向けて張り出した植付整地部１３と、この植付整地部１３と幅狭整地部９がＴ字状に形成されている。
【００１７】
そして取付部１１は、植付整地部１３の基部において、その後片から前側に向けて図７（Ｂ）で示すように薄肉な平坦板状に形成し、その前側に作溝施肥具１２（図５）を取付ける取付孔１５（図６）を設け、この取付孔１５の後側に逆Ｕ字状の切り溝１６を取付部１１の下面側から所定の深さに刻設している。
【００１８】
この構成により取付部１１の中央部を、切り溝１６を介して上方又は下方に強く押し出すか或いは切り取ると、取付部１１の中央部を簡単に取り去ることができる。これにより取付部１１に逆Ｕ字状の取付溝１７を、作溝施肥具１２を嵌合して取付ける巾と長さに形成することができる。
【００１９】
また、センターフロート６ｂは上記サイドフロート６ａの取付部１１と同構造の取付部１１を、左右の幅狭整地部９を接続する植付整地１４の後辺で、植付位置ｐから左側に少しずらした位置に形成している。
【００２０】
そして、サイドフロート６ａ及びセンターフロート６ｂには、フロート支持機構７に対する取付孔２０と、土寄具２１を取付ける取付孔２２を所定の位置に設けている。
【００２１】
この構成により、フロートの製造段階で取付部１１を切欠くことなく、この取付部１１を形成したままのサイドフロート６ａとセンターフロート６ｂを設けることによって植付作業のみを行なう移植機１に構成することができる。
【００２２】
この場合には、植付位置ｐの前側において取付部１１もその平坦面で土を均すことができるので、きれいに均された地表に苗を植付けることができる。
【００２３】
なお、フロートの前部を前方まで大きく切り欠いて、そり状の前端部まで切り欠きがある場合に、施肥案内具２６を設けない場合は、切り欠きから泥水が勢いよくフロート上面側に流出して苗の植付姿勢に影響がでることがあるが、本発明の実施の形態においては、施肥案内具２６を取付ける場合にのみ切り欠くので、その問題は発生しない。
【００２４】
このような移植機１に施肥装置を設け、その作溝施肥具１２をフロート６に取付ける場合には、前述したように各フロート６の取付部１１を切り溝１６を介して切欠した取付溝１７に対して、作溝施肥具１２の作溝具２５（図５）と施肥案内具２６を取付けると、植付位置ｐの前側で一側に変位させた位置に施肥することができる。
【００２５】
この際、上記作溝具２５は取付部１１の下面に接合し、施肥案内具２６は取付部１１の上面に接合し、施肥案内具２６と取付部１１の取付孔１５（図６）にボルト２７を貫挿し、共締めすることによって固定する（図４、図５）。
【００２６】
この構成により作溝具２５は、フロート６の下面に突出した部分で地表に凹溝を所定の施肥深さとなるように形成する。
【００２７】
また、施肥案内具２６は肥料タンクに通ずる肥料管２８を備えて、繰り出される肥料を作溝具２５で形成された凹溝内に供給施肥する。
【００２８】
そして、この施肥装置は、施肥案内具２６を、取付部１１を介して植付整地部１３内に設けていることにより、植付位置ｐの前側に適正な距離を確保しながら離間することができるので、施肥案内具２６による作溝施肥後に行なわれる植付爪１０による苗の植付けに支障を与えないものである。
【００２９】
また、このとき取付部１１の側方に位置する植付整地部１３が、作溝時に凹溝の側方を均して整地し、施肥後の凹溝を埋め戻すようにして均すので、苗の植付けをスムーズに行うことができる。
【００３０】
さらに植付整地部１４の後部に、作溝具２５を突出させた従来の装置のようにフロート長さを大きくしないので、植付装置３の小型化を図ることができる等の特徴がある。
【００３１】
また、上記構成からなるフロート６を用いて、６条分の苗を植付ける移植機１に適用する場合には、図８で示すようにセンターフロート６ｂをサイドフロート６ａと同じものを取付けるとともに、中央の植付伝動ケース５の両側に植付部８を設けることにより、従来の装置と同様に６条植付型の植付装置３にすることができる。
【００３２】
【発明の効果】
上記の説明から明らかなように、本発明に係る移植機のフロート構造は、植付位置の間を整地する前後に長い幅狭の整地部と、その前側部に連設して植付部前方を整地する植付整地部１３を設けるとともに、植付と同時に施肥を行う施肥装置の植付部８の前側に作溝施肥具１２の施肥案内具２６を設けたフロート６を備えた移植機において、前記施肥案内具２６を、均し接地部１４の後辺から前側に向けて凹溝状に切欠形成した取付溝１７に入り込ませて後辺よりも前方に設けたことを特徴としている。
【００３３】
従って、作溝具２５を均し接地部１４に入り込ませて形成した取付溝１７に取付けることにより、植付爪１０の前側に適正な土戻し距離を確保することができるので、フロート長を大きくすることなく植付装置３の小型化を図ることができる。
【００３４】
また、作溝具２５及び施肥案内具２６で形成される溝の側方を植付整地部１３で均すことができるので、苗の植付けをスムーズにすることができる。
【００３５】
更に、植付整地部１３に取付溝１７を切欠形成可能とする薄肉な取付部１１を設けて構成した１つのフロートを使用しながら、作溝施肥具１２を設ける植付装置３と、植付けのみを行なう植付装置３とに使用することができる。
【００３６】
また、薄肉に形成した取付部１１は取付溝１７を簡単に形成できる。
【図面の簡単な説明】
【図１】フロート構造を備えた移植機の側面図である。
【図２】図１の平面図である。
【図３】図１の３ヶのフロートに作溝具を取付けた状態を示す平面図である。
【図４】図３のサイドフロートに作溝施肥具を設けた構成を示す側面図である。
【図５】図３のセンターフロートに作溝施肥具を設けた構成を示す側面図である。
【図６】本発明に係るサイドフロートの構成を示す平面図である。
【図７】図６のサイドフロート断面図であり、（Ａ）はＡ−Ａ線、（Ｂ）はＢ−Ｂ線、（Ｃ）はＣ−Ｃ線、及び（Ｄ）はＤ−Ｄ線断面図である。
【図８】本発明に係る６条植付型のフロート配置を示す平面図である。
【符号の説明】
１  移植機        ２  走行機体      ３  植付装置
６  フロート      ６ａ  サイドフロート      ６ｂ  センターフロート
８  植付部        ９  幅狭整地部      １０  植付爪
１１  取付部      １２  作溝施肥具      １３  植付整地部
１４  均し接地部    １５  取付孔      １６  切り溝      １７  取付溝
２５  作溝具      ２６  施肥案内具
【図１】
2004187513.tif 000003
【図２】
2004187513.tif 000004
【図３】
2004187513.tif 000005
【図４】
2004187513.tif 000006
【図５】
2004187513.tif 000007
【図６】
2004187513.tif 000008
【図７】
2004187513.tif 000009
【図８】
2004187513.tif 000010